(57)【特許請求の範囲】
【請求項１】
上枠内で開口幅方向に移動可能な移動体から軸を介して回動可能に吊持された第１扉体の戸尻側端部と、戸尻側が回動可能に支持された第２扉体の戸先側端部と、を回動可能に連結し、前記移動体が開口幅方向に移動することで前記第１扉体と前記第２扉体が屈伸して建物開口部を開閉する折戸装置であって、
前記上枠内には、戸先側端部に位置して自閉装置が設けてあり、前記自閉装置と前記移動体はワイヤによって連結されており、
前記上枠の下端には、開口幅方向に延びる溝が形成されており、折戸開閉時に前記軸は前記溝内を通って開口幅方向に移動し、
折戸開放時に前記ワイヤは、前記上枠内で前記溝の直上に位置して開口幅方向に引き出され、
前記上枠内には、戸先側部位に位置して塞ぎ部材が設けてあり、前記塞ぎ部材の戸尻側端部は、全閉状態における前記第１扉体の幅方向中間部位よりも戸先側に位置しており、前記塞ぎ部材は、前記ワイヤが延びる高さ位置よりも下方かつ前記溝の上方に位置して、前記溝を塞ぐ底面を備えており、前記塞ぎ部材の底面は、折戸開放時に引き出された前記ワイヤの少なくとも戸先側部位を下方から覆う、
折戸装置。
【請求項２】
前記ワイヤは、前記自閉装置の下方部位に設けたガイドプーリを巻回して前記上枠内で前記溝の直上に位置して開口幅方向に延びる、
請求項１に記載の折戸装置。
【発明の詳細な説明】
【技術分野】
【０００１】
本発明は折戸装置に関するものである。
【背景技術】
【０００２】
折戸は構造上開き戸に比べ、扉の軌跡面積が小さく、広い有効開口を得ることが可能である。また、引戸のような戸袋スペースを必要とせず、扉の開閉が軽いなどの長所がある。そのため、折り戸は、車椅子利用者などが使用するのに適している。
【０００３】
折戸には、幅広の親扉１´と、幅狭の子扉２´と、を有し、親扉の戸尻側と子扉の戸先側が連結要素６´を介して回動可能に連結されており、上枠３´内にはレールが設けてあり、親扉１´が上端に設けた戸車８´によって回動可能に吊持されており、親扉１´は、戸車８´が前記レール上を走行することで開口幅方向に回動しながら移動可能であり、子扉２´が戸尻側を基点として回動可能であり、上枠３´内に戸先側に位置して自閉装置９´を設け、自閉装置９´と戸車８´をワイヤ１０´で連結したものがある（図１０参照）。特許文献１にも類似の構成を備えた扉装置が開示されている。
【０００４】
特許文献１では、ワイヤ（図２６参照）は上枠内の上方の奥まった高さに位置しているが、図１０に示す態様では、ワイヤ１０´は上枠３´の下端に近接した部位で延びており、扉開放時に建物開口部の直上に位置して引き出されることになり、下方から故意にワイヤに触れたり、あるいは誤操作や清掃時等に意図せず偶然にワイヤに触れてしまうことがある。特に、ワイヤ１０´が、自閉装置９´の下方部位に設けたガイドプーリを巻回して開口幅方向に延びるような場合に、接触によってワイヤがガイドプーリから外れ（外れた部分を１０ａで示す）、ワイヤが外れたままで開閉動作が繰り返されると、閉鎖障害を引き起こしたり、ワイヤが周囲の部材（例えば、自閉装置９´の取付金具９４´）に接触して損傷ないし切断したり、当該周囲の部材が損傷してしまうおそれがある。
【特許文献１】特許第３３２１０９８号
【発明の開示】
【発明が解決しようとする課題】
【０００５】
本発明は、折戸の扉開放時に引き出される自閉装置のワイヤに下方から接触することを防止することを目的とするものである。
【課題を解決するための手段】
【０００６】
本発明が採用した技術手段は、上枠内で開口幅方向に移動可能な移動体から軸を介して回動可能に吊持された第１扉体の戸尻側端部と、戸尻側が回動可能に支持された第２扉体の戸先側端部と、を回動可能に連結し、前記移動体が開口幅方向に移動することで前記第１扉体と前記第２扉体が屈伸して建物開口部を開閉する折戸装置であって、
前記上枠内には、戸先側端部に位置して自閉装置が設けてあり、前記自閉装置と前記移動体はワイヤによって連結されており、
前記上枠の下端には、開口幅方向に延びる溝が形成されており、折戸開閉時に前記軸は前記溝内を通って開口幅方向に移動し、
折戸開放時に前記ワイヤは、前記上枠内で前記溝の直上に位置して開口幅方向に引き出され、
前記上枠内には、戸先側部位に位置して、前記ワイヤが延びる高さ位置よりも下方に位置して、前記溝を塞ぐ塞ぎ部材が設けてあり、前記塞ぎ部材は、折戸開放時に引き出された前記ワイヤの少なくとも戸先側部位を下方から覆う、
折戸装置、である。
後述する実施形態では、移動体として、走行ローラを備えた戸車が例示されている。
【０００７】
１つの態様では、前記ワイヤは、前記自閉装置の下方部位に設けたガイドプーリを巻回して前記上枠内で前記溝の直上に位置して開口幅方向に延びる。
後述する実施形態では、第１扉体は幅広の親扉、第２扉体は幅狭の子扉であるが、第１扉体、第２扉体は、同幅であってもよい。
後述する実施形態では、折戸装置は手動開放されるが、電動開放・自閉装置による閉鎖であってもよい。
【発明の効果】
【０００８】
本発明では、上枠内には、戸先側部位に位置して、前記ワイヤが延びる高さ位置よりも下方に位置して、前記溝を塞ぐ塞ぎ部材が設けてあり、前記塞ぎ部材は、折戸開放時に引き出された前記ワイヤの少なくとも戸先側部位を下方から覆うようにしたので、折戸の扉開放時に引き出されるワイヤの戸先側部位に下方から接触することが防止され、誤操作やいたずら等によってワイヤが外れることが防止され、結果として、閉鎖障害を引き起こしたり、ワイヤが損傷ないし切断したり、周囲の部品が破損したりすることが無い。
【図面の簡単な説明】
【０００９】
【図１】折戸装置の正面図（開口部全閉状態）である。
【図２】折戸装置の平面図（開口部全閉状態、開口部全開状態）である。
【図３】折戸装置の一部省略縦断面図である。
【図４】折戸装置の正面図（開口部全閉状態）であり、開口部上方の上枠内を示している。
【図５】戸車を示す図である。
【図６】自閉装置を示す図である。
【図７】上枠の戸先側部位の縦断面図である。
【図８】塞ぎ部材を示す図である。
【図９】本実施形態に係る折戸装置の作用を説明する斜視図である。
【図１０】従来の折戸装置の作用を説明する斜視図である。
【発明を実施するための形態】
【００１０】
本発明の実施形態を図面に基づいて説明する。図１は、折戸装置の正面図（開口部全閉状態を示す）、図２は、折戸装置の平面図（開口部全閉状態及び開口部全開状態を示す）であって、折戸装置は、屈伸可能に連結された幅広の親扉１と幅狭の子扉２によって建物開口部を開閉するようになっている。図示の態様では、親扉１の幅寸法は子扉２の幅寸法の略２倍である。建物開口部は、上枠３と、戸先側縦枠４と、戸尻側縦枠５と、床面ＦＬとによって囲まれた空間として形成されている。親扉１、子扉２は共に正面視長方形状を有しており、親扉１が戸先側、子扉２が戸尻側に位置している。すなわち、親扉１の戸先側端部が折戸全体としての戸先側、子扉２の戸尻側端部が折戸全体としての戸尻側となっている。
【００１１】
親扉１の戸尻側端部と子扉２の戸先側端部とは上下の連結要素６を介して互いに回動可能に連結されており、子扉２の戸尻側部位は建物開口部の戸尻側に回動可能に支持されている。図２に示すように、開口部全閉姿勢では、親扉１と子扉２は平面視一直線状となっており、開口部開放時には親扉１と子扉２が屈折して、開口幅方向に対して直交する姿勢にまで回動しながら折り畳まれ、開口部全開姿勢では、親扉１と子扉２は平面視平行状となっている。
【００１２】
上枠３は、開口幅方向に延びる長尺要素であり、図３、図７に示すように、対向状の側部３０、３１と、上面３２と、から断面視コ字形状を有し、上枠３の下端には、開口幅方向に延びる溝３３が形成されている。図示の態様では、上枠３の一方の側部３０は側壁であり、他方の側部３１は側カバーから形成されており、側カバーの上端は、上面３２の一方の端縁に対して着脱可能となっている。側部３０の垂直面３００と側部３１の垂直面３１０との間には内部空間が形成されており、側部３０の底面３０１と側部３１の底面３１１との間に、上記内部空間と連通する溝３３が形成されている。
【００１３】
図３、図４に示すように、上枠３内には、開口幅方向に延びるガイド部材７が設けてある。ガイド部材７は垂直部と水平部から断面視Ｌ形状を有し、垂直部を側部３０の垂直面３００に固定することで、上枠３内において水平部が持ち出し状に設けてある。水平部の先端の上面にレール７０が形成されている。図示の態様では、レール７０は開口幅方向に水平状に延びている。水平部の下面には、案内溝７１が形成されている。
【００１４】
親扉１の幅寸法の中間部位の上端に戸車８が設けてある。図５に示すように、戸車８は、垂直部８０と水平部８１とから断面視Ｌ形状に形成された支持プレートと、垂直部８０に縦姿勢で装着された走行ローラ８２と、水平部８１上に横姿勢で装着された振れ止めローラ８３と、水平部８１の下面に回転自在に設けた垂直状の軸部８４と、軸部８４の下端に設けた水平状の取付プレート８５と、を備えており、戸車８は、取付プレート８５を介して親扉１の上面に取り付けられている。
【００１５】
親扉１は軸部８４によって戸車８に対して回動自在に吊持されている。親扉１は、回動しながら開口幅方向に移動可能となっている。親扉１が回動しながら開口幅方向に移動する時には、戸車８の走行ローラ８２がレール７０上を転動しながら走行するようになっており、この時に、振れ止めローラ８３が案内溝７１によって案内される。軸部８４は、上枠３の下端の溝３３に沿って開口幅方向に移動するようになっている。
【００１６】
このような折戸装置において、全閉姿勢から親扉１が戸尻側へ回動しながら移動すると同時に子扉２が戸尻側を基点に回動することで、親扉１と子扉２が平面視直線姿勢から折り畳まれていき、平面視平行姿勢となって全開姿勢となる。より具体的には、折戸装置が全閉姿勢にある時に、取手１´を掴んで親扉１を引くないし押すことで、親扉１が回動して開きながら戸車８がレール７０に案内されることで戸尻側に移動し、同時に、子扉２が戸尻側を基点として回動しながら開き、親扉１と子扉２は平面視直線状の姿勢から折れ畳まれながら平面視平行姿勢となって扉体は開放姿勢となる。
【００１７】
図４に示すように、上枠３内には、戸先側に位置して自閉装置９が設けてある。戸車８はワイヤ１０を介して自閉装置９と連結されており、戸尻側に回動しながら移動して開放された親扉１及び子扉２は、自閉装置９によってワイヤ１０を介して戸先側に引っ張られ、戸先側に回動しながら移動して全閉姿勢となる。より具体的な態様では、ワイヤ１０の基端側は自閉装置９の巻取部に巻き取られ、他端は支持プレートの垂直部８０に連結されている。自閉装置９は、ワイヤ１０を介して戸車８を閉鎖方向に付勢する手段を備えており、全閉姿勢にある親扉１がワイヤ１０を引き出しつつ回動しながら戸尻側に移動する時に、親扉１を戸先側（閉鎖方向）に移動させる力を蓄積するようになっている。戸尻側へ回動しながら移動した親扉１の取手１´を離して自由とすると、回動しながら戸尻側に移動した親扉１は、戸車８がワイヤ１０によって戸先側に引かれることで、回動しながら戸先側に移動して開口部全閉姿勢となる。
【００１８】
図６に示すように、自閉装置９は、ワイヤ１０の巻取部（図示せず）と、巻取部を回転可能に支持する垂直状の取付プレート９０と、取付プレート９０に設けられ、巻取部及び巻取部から引き出されたワイヤ１０を巻取方向に付勢する付勢手段（例えば、ぜんまいバネからなる）を内蔵したケーシング９１と、ケーシング９１の下方に位置して、取付プレート９０に設けたガイドプーリ９２、９３と、を備えている。図７に示すように、自閉装置９は、取付プレート９０に固定した取付金具９４によって上枠２の側部３０の垂直面３００に固定されている。ケーシング９１の面部には、ラチェットと爪からなる調整手段９５が設けてあり、調整手段９５によって付勢手段の強度を調整可能となっている。
【００１９】
ガイドプーリ９２、９３は開口幅方向に離間して並設されており、ガイドプーリ９３がガイドプーリ９２よりも戸先側から離間している。ワイヤ１０はケーシング９１の下端から下方に引き出され、ガイドプーリ９２、９３間を通り、ガイドプーリ９３を巻回して水平状に案内され、水平状に延びて戸車８に固定されている。ワイヤ１０が延びる高さ位置は、上枠３の内部空間の下方部位であり、上枠３の下端の溝３３の直上で溝３３に近接した高さ位置で延びている。ワイヤ１０はレール７０より下側で延びている。
【００２０】
図８に示すように、上枠３内には、戸先側部位に位置して、ワイヤ１０が延びる高さ位置よりも下方に位置して、上枠３の下端の溝３３を塞ぐ塞ぎ部材１１が設けてあり、塞ぎ部材１１は、折戸開放時に引き出されたワイヤ１０の少なくとも戸先側部位を下方から覆うようになっている。塞ぎ部材１１は、上枠３の側部３０の垂直面３００に取り付けられている。
【００２１】
塞ぎ部材１１は、水平状の底面１１０と、立ち上がり状の対向する側面１１１、１１２と、から断面視コ字形状を備えており、底面１１０は、開口幅方向の第１幅寸法と、開口幅方向に直交する方向の第２幅寸法（側面１１１、１１２間の寸法）と、を備えており、第２幅寸法は、上枠３の下端の溝３３の幅寸法よりも大きい。塞ぎ部材１１は、側面１１１を側部３０の垂直面３００の下方部位に固定することで、底面１１０が溝３３の戸先側部位を塞ぐように水平状に延びている。図示の態様では、塞ぎ部材１１は、断面視コ字形状を有しているが、少なくとも底面１１０を備えていればよく、例えば、水平状の底面１１０と側面１１１から断面視Ｌ形状（側面１１２を有しない）であってもよい。
【００２２】
折戸装置が全閉姿勢にある時に、取手１´を掴んで親扉１を引くないし押すことで、親扉１が回動して開きながら戸車８がレール７に案内されることで戸尻側に移動し、この時、戸車８の戸尻側への移動にしたがってワイヤ１０が自閉装置９の巻取部からガイドプーリ９３を介して引き出されるが、ワイヤ１０は上枠３の戸先側に設けた塞ぎ部材１１の底面１１０の上方を通過し、上枠３の下端の溝３３の戸先側部位は、塞ぎ部材１１によって塞がれているので、引き出されたワイヤ１０の戸先側部位に下方から接触することが防止される。よって、いたずらや意図しない偶然の接触によってワイヤ１０がガイドプーリ９３から外れることが防止され、結果として、ワイヤが外れたままで開閉動作が繰り返されることにより、閉鎖障害を引き起こしたり、ワイヤが損傷ないし切断したり、周囲の部品が破損したりすることがない。
【００２３】
実験を行ったところ、引き出されたワイヤ１０において、ガイドプーリ９３に近い部位に接触することでワイヤ１０がより外れやすいことがわかり、図示の態様では、上枠３内の戸先側部位に位置して塞ぎ部材１１を設けた。図９に示すように、塞ぎ部材１１は上枠３の内部の戸先側部位にのみ設けられており、塞ぎ部材１１の戸尻側において引き出されたワイヤ１０は上枠３の溝３３に露出しているが、ガイドプーリ９３から離隔した部位に接触してもワイヤ１０は簡単に外れることがない。なお、塞ぎ部材１１の戸尻側端部を戸尻側へ延ばしてなるべく溝３３を塞ぐようにしてもよいが、塞ぎ部材１１の戸尻側端部を、全閉状態における戸車８を越えて延ばすことはできない。
【００２４】
上枠３の下端には、戸先側部位に位置してラッチ受けプレート１２が設けてある。ラッチ受けプレート１２は、側部３０、３１の底面３０１、３１１と略同じ高さに延びており、開口部全閉時に親扉１の上面から突出するラッチ（図示せず）を受け入れるようになっている。本発明の塞ぎ部材は、このラッチ受けプレート１２を戸尻側に延長することで同一部材から形成してもよい。
【符号の説明】
【００２５】
１  親扉（第１扉体）
２  子扉（第２扉体）
３  上枠
３０  側部
３３  溝
７  ガイド部材
７０  レール
８  戸車（移動体）
８２  走行ローラ
８４  軸
９  自閉装置
９３  ガイドプーリ
１０  ワイヤ
１１  塞ぎ部材
【図１】
0006497946.tif 000002
【図２】
0006497946.tif 000003
【図３】
0006497946.tif 000004
【図４】
0006497946.tif 000005
【図５】
0006497946.tif 000006
【図６】
0006497946.tif 000007
【図７】
0006497946.tif 000008
【図８】
0006497946.tif 000009
【図９】
0006497946.tif 000010
【図１０】
0006497946.tif 000011